(57)【要約】【課題】鋼矢板の打設位置の精度を確保しつつ打設または引き抜き抵抗を低減するとともに、止水性を向上させる。【解決手段】鋼矢板１、１′の一方の側に長手方向に固着される抱止部２ａおよび該抱止部の先端に設けられる挿入用スリット２ｂからなるメス側継ぎ手２と、鋼矢板１、１′の他方の側に長手方向に固着される係止部３ａを有するオス側継ぎ手３とを備え、前記メス側継ぎ手２の抱止部２ａまたはオス側継ぎ手３の係止部３ａのいずれか一方または両方に、少なくとも３本の突条部３ｂを設け、各突条部３ｂの先端部が抱止部２ａまたは係止部３ａに当接または近接されて係合される構造。【選択図】図１
2004150066.tif 000002
【特許請求の範囲】
【請求項１】
鋼矢板の一方の側に長手方向に固着される抱止部および該抱止部の先端に設けられる挿入用スリットからなるメス側継ぎ手と、鋼矢板の他方の側に長手方向に固着される係止部を有するオス側継ぎ手とを備え、前記メス側継ぎ手の抱止部またはオス側継ぎ手の係止部のいずれか一方または両方に、少なくとも３本の突条部を設け、各突条部の先端部が抱止部または係止部に当接または近接されて係合されることを特徴とする鋼矢板の継ぎ手構造。
【請求項２】
鋼矢板の一方の側に長手方向に固着される抱止部および該抱止部の先端に設けられる挿入用スリットからなるメス側継ぎ手と、鋼矢板の他方の側に長手方向に固着される係止部、該係止部に形成された少なくとも３本の突条部からなるオス側継ぎ手とを備え、オス側継ぎ手の各突条部の先端部がメス側継ぎ手の抱止部に当接または近接されて係合されることを特徴とする鋼矢板の継ぎ手構造。
【請求項３】
鋼矢板の一方の側に長手方向に固着される抱止部、該抱止部の先端に設けられる挿入用スリットおよび前記抱止部の内面に形成された少なくとも３本の突条部からなるメス側継ぎ手と、鋼矢板の他方の側に長手方向に固着される係止部からなるオス側継ぎ手とを備え、メス側継ぎ手の各突条部の先端部がオス側継ぎ手の係止部に当接または近接されて係合されることを特徴とする鋼矢板の継ぎ手構造。
【請求項４】
前記突条部の先端部の形状は円弧状または先細形状であることを特徴とする請求項１ないし３のいずれかに記載の鋼矢板の継ぎ手構造。
【請求項５】
メス側継ぎ手のスリット内側に砂止め用弾性体を挿入したことを特徴とする請求項１ないし４のいずれかに記載の鋼矢板の継ぎ手構造。
【請求項６】
抱止部と各突条部間に止水用弾性体を挿入したことを特徴とする請求項１ないし５のいずれかに記載の鋼矢板の継ぎ手構造。
【発明の詳細な説明】
【０００１】
【発明の属する技術分野】
本発明は、土木建築分野における土留め壁や、基礎構造および港湾河川における護岸、地中における止水壁に用いる鋼矢板の継ぎ手構造に関するものである。
【０００２】
【従来の技術】
鋼矢板は、その両側に設けた継ぎ手を噛み合わせて壁面を作り、土留め壁等の構造物を作るための鋼材であって、断面形状がＵ型、Ｚ型、直線型、Ｈ型、鋼管型がある。従来の鋼矢板は、特開２００２−１４６７７２に示されるように、Ｕ型の鋼矢板の両側に継ぎ手が一体に成型され、隣接する鋼矢板の継ぎ手同士を面で接触させる構造になっている。
【０００３】
また、鋼管型の鋼矢板で広く使用されている継ぎ手は、特開平１０−４６５６８号公報に示されるように、鋼管の両側に箱形のメス側継ぎ手と断面Ｔ字形のオス側継ぎ手を固着し、メス側継ぎ手にオス側継ぎ手を挿入する構造となっている。
【０００４】
【特許文献１】特開２００２−１４６７７２
【特許文献２】特開平１０−４６５６８号公報
【０００５】
【発明が解決しようとする課題】
しかしながら、特開２００２−１４６７７２の継ぎ手構造においては、地盤中の砂分が接触面の間に入り込み、継ぎ手同士がきしんで大きな抵抗を生じるため、鋼矢板を打設または引き抜きするときに大きな力を必要とするという問題を有している。特に、港湾土木や繁華街では大型の打設重機が採用しにくいので、継ぎ手による抵抗を削減し工事環境の向上と工費の節約を図ることが重要な課題となっている。また、鋼管型の鋼矢板をパイプルーフとして水平に圧入する場合、現場では大きな圧入反力が取れない場合が多いので、継ぎ手による抵抗を削減することが大きな課題となっている。
【０００６】
また、特開平１０−４６５６８号公報の継ぎ手構造においては、鋼矢板の打設位置の精度を上げるために、メス側継ぎ手とオス側継ぎ手を限りなく近接させると接触面が増大し、砂を含む地盤の中ではきしんで打設または引き抜き抵抗が増大するので、実際にはメス側継ぎ手とオス側継ぎ手の間に空隙を形成し、前述の継ぎ手の抵抗を削減するようにしている。そのため、鋼矢板の打設位置の精度が低下するとともに、止水性が低下するという問題を有している。
【０００７】
本発明は、上記従来の問題を解決するものであって、鋼矢板の打設位置の精度を確保しつつ打設または引き抜き抵抗を低減するとともに、止水性を向上させることができる鋼矢板の継ぎ手構造を提供することを目的とする。
【０００８】
【課題を解決するための手段】
上記の課題を解決するために、請求項１記載の発明は、鋼矢板の一方の側に長手方向に固着される抱止部および該抱止部の先端に設けられる挿入用スリットからなるメス側継ぎ手と、鋼矢板の他方の側に長手方向に固着される係止部を有するオス側継ぎ手とを備え、前記メス側継ぎ手の抱止部またはオス側継ぎ手の係止部のいずれか一方または両方に、少なくとも３本の突条部を設け、各突条部の先端部が抱止部または係止部に当接または近接されて係合されることを特徴とする。
また、請求項２記載の発明は、鋼矢板の一方の側に長手方向に固着される抱止部および該抱止部の先端に設けられる挿入用スリットからなるメス側継ぎ手と、鋼矢板の他方の側に長手方向に固着される係止部、該係止部に形成された少なくとも３本の突条部からなるオス側継ぎ手とを備え、オス側継ぎ手の各突条部の先端部がメス側継ぎ手の抱止部に当接または近接されて係合されることを特徴とする。
また、請求項３記載の発明は、鋼矢板の一方の側に長手方向に固着される抱止部、該抱止部の先端に設けられる挿入用スリットおよび前記抱止部の内面に形成された少なくとも３本の突条部からなるメス側継ぎ手と、鋼矢板の他方の側に長手方向に固着される係止部からなるオス側継ぎ手とを備え、メス側継ぎ手の各突条部の先端部がオス側継ぎ手の係止部に当接または近接されて係合されることを特徴とする。
また、請求項４記載の発明は、前記突条部の先端部の形状は円弧状または先細形状であることを特徴とし、請求項５記載の発明は、メス側継ぎ手のスリット内側に砂止め用弾性体を挿入したことを特徴とし、請求項６記載の発明は、抱止部と各突条部間に止水用弾性体を挿入したことを特徴とする。
【０００９】
【発明の実施の形態】
以下、本発明の実施の形態を図面を参照しつつ詳細に説明する。図１は、本発明の鋼矢板の継ぎ手構造の１実施形態を示し、図１（Ａ）は２枚の鋼矢板を係合、連結した状態を示す平面図、図１（Ｂ）は図１（Ａ）のＢ部の拡大図である。
なお、本実施形態は、Ｕ形の鋼矢板の実施形態である。
【００１０】
図１（Ａ）において、鋼矢板１、１′の一方の側には長手方向にそれぞれメス側継ぎ手２が設けられ、他方の側に長手方向にオス側継ぎ手３が設けられ、先ず、一方の鋼矢板１が地盤中に打設された後、他方の鋼矢板１′を逆Ｕ形になるように設置しそのオス側継ぎ手３を一方の鋼矢板１のメス側継ぎ手２内に挿入して打設し、鋼矢板１、１′同士を係合、連結し、以下順次、他の鋼矢板を係合、連結して土留め壁等を構築する。
【００１１】
図１（Ｂ）において、メス側継ぎ手２は、円筒状の抱止部２ａと、この抱止部２ａの先端で鋼矢板１の長手方向に形成された挿入用スリット２ｂを有し、抱止部２ａは鋼矢板１に溶接にて固着されている。また、他方の鋼矢板１′にはこれと一体又は溶接にてオス側継ぎ手３が設けられている。
【００１２】
オス側継ぎ手３は、円柱状の係止部３ａと、この係止部３ａの長手方向でかつ径方向に形成された４本の突条部３ｂと、各突条部３ｂの先端に円弧状に形成された先端部３ｃを有し、各突条部３ｂのうち一部の突条部３ｂの先端部３ｃは、メス側継ぎ手２の抱止部２ａの内面に当接または近接するようにされている。なお、突条部３ｂの本数は、オス側継ぎ手３がメス側継ぎ手２の内部でがたつかず、打設精度を確保するために少なくとも３本とし、また打設・引き抜き抵抗および製造コストの面から６本以下とするのが好ましい。また、先端部３ｃの形状は円弧状に限定されるものではなく、後述する図３に示すように、多角形状にした先細形状であってもよい。
【００１３】
以上の構成からなる本実施形態の継ぎ手構造によれば、鋼矢板の打設または引き抜き時において、オス側継ぎ手３の４本の突条部３ｂのうち一部（少なくとも２本）の突条部３ｂがメス側継ぎ手２の抱止部２ａの内面に当接され、他の突条部３ｂは非接触且つ近接となるように構成しているので、打設または引き抜き時の接触抵抗が少なく、また、非接触部はもとより当接部においても砂粒は突条部３ｂ間の大きな空間４に逃げていき、「きしみ」の原因になることがなく、また鋼矢板の打設位置の精度を確保しつつ打設または引き抜き抵抗を低減させることができる。
【００１４】
図２および図３は、本発明の鋼矢板の継ぎ手構造の他の実施形態を示し、鋼矢板を連結した状態を示す平面図である。なお、以下の説明において、前記実施形態と同一の構成については同一番号を付けて説明を省略する。本実施形態は、鋼管型の鋼矢板の実施形態である。
【００１５】
図２の実施形態においては、鋼管型の鋼矢板１、１′の外面に、径方向に対向する位置で長手方向に、図１（Ｂ）と同様の構成のメス側継ぎ手２とオス側継ぎ手３を溶接にて固着している。オス側継ぎ手３は支持部材３ｄにより鋼矢板１、１′の外面に固着され、メス側継ぎ手２の側面と鋼矢板１、１′との間には、必要に応じて補強部材２ｄを固着している。
【００１６】
前記実施形態においては、突条部３ｂをオス側継ぎ手３側に設けているが、図３の実施形態においては、メス側継ぎ手２とオス側継ぎ手３の両方に突条部３ｂを設けている。
すなわち、メス側継ぎ手２は、一枚の板が直角に曲折された一対の抱止部２ａを有し、この抱止部２ａの長手方向に挿入用スリット２ｂが形成されるように、抱止部２ａの一端が鋼矢板１に溶接にて固着されている。鋼矢板１の外周面および抱止部２ａのスリット２ｂ側の長手方向には、３本のロッド部材からなる突条部３ｂが固着されている。オス側継ぎ手３は、鋼矢板１′に固着された断面Ｔ字形状の鋼材からなる係止部３ａを有し、この係止部３ａは、２本の突条部３ｂと、各突条部３ｂの先端に形成された先端部３ｃを有している。この構成により、オス側継ぎ手の２本の突条部３ｂの先端部３ｃは、メス側継ぎ手２の抱止部２ａの内面に当接または近接され、メス側継ぎ手２の３本の突条部３ｂの先端部３ｃは、オス側継ぎ手３の突条部３ｂに当接または近接され、メス側継ぎ手２の内面にオス側継ぎ手３が係合されている。
【００１７】
図４は、本発明の鋼矢板の継ぎ手構造の他の実施形態を示し、鋼矢板の係合部の拡大平面図である。なお、本実施形態は、図１〜図３、図５の各実施形態に適用される。
【００１８】
本実施形態は、地盤が比較的高圧水を含む場合に適用される例である。メス側継ぎ手２のスリット２ｂ内側に抱止部２ａと突条部３ｂの間にスポンジロープからなるの砂止め用弾性体５を挿入し、また、各突条部３ｂ間にはゴムロープ又は水膨潤ゴムロープからなる止水用弾性体６を挿入している。これにより高水圧Ｈが矢印に示すように作用しても、砂は砂止め用弾性体５により侵入が阻止され、水は止水用弾性体６により阻止され、また、砂の一部が継ぎ手内部に入っても線接触部では砂粒が突条部３ｂ間の空間４に逃げていくことができ、砂粒の逃げ場を確保することができる。
【００１９】
なお、止水用弾性体６の代わりに粘土等の止水用塑性体を挿入してもよい。また、水圧の程度により、砂止め用弾性体５のみを挿入してもよいし、止水用弾性体６の代わりに砂止め用弾性体５を挿入するようにしてもよい。
【００２０】
図５は、本発明の鋼矢板の継ぎ手構造の他の実施形態を示し、鋼矢板の係合部の拡大平面図である。前記実施形態においては、突条部３ｂをオス側継ぎ手３側に設けているが、本実施形態においては、メス側継ぎ手２側に突条部３ｂを設けている。
【００２１】
すなわち、鋼矢板１の一方の側に長手方向に固着される抱止部２ａ、該抱止部の先端に設けられる挿入用スリット２ｂおよび前記抱止部２ａの内面に形成された少なくとも３本の突条部３ｂおよび各突条部３ｂの先端に形成された先端部３ｃからなるメス側継ぎ手２と、鋼矢板１′の他方の側に長手方向に支持部材３ｄを介して固着される係止部３ａからなるオス側継ぎ手３とを備え、メス側継ぎ手２の各突条部３ｂのうち一部の突条部３ｂがオス側継ぎ手３の係止部３ａに当接または近接され係合される構成になっている。なお、本実施形態にも図４の実施形態を適用してもよい。作用は前記実施形態と同様であるので説明を省略する。
【００２２】
以上、本発明の実施の形態について説明したが、本発明はこれに限定されるものではなく、種々の変更が可能であり、また、従来公知または周知の技術を採用することができる。例えば、上記実施形態においては、Ｕ型、鋼管型の鋼矢板について説明しているが、Ｚ型、直線型、Ｈ型等の鋼矢板に適用してもよい。
【００２３】
以上説明したように本発明によれば、鋼矢板の打設位置の精度を確保しつつ打設または引き抜き抵抗を低減するとともに、止水性を向上させることができる。
また、継ぎ手の抵抗を低減することにより大型の打設重機を必要としないため、工事環境の向上と工費の節約を図ることができる。また、鋼矢板をパイプルーフとして水平に圧入する場合のように現場で大きな圧入反力が取れない場合にも有効である。
【図面の簡単な説明】
【図１】本発明の鋼矢板の継ぎ手構造の１実施形態を示し、図１（Ａ）は鋼矢板を係合、連結した状態を示す平面図、図１（Ｂ）は図１（Ａ）のＢ部の拡大図である。
【図２】本発明の鋼矢板の継ぎ手構造の他の実施形態を示し、鋼矢板を連結した状態を示す平面図である。
【図３】本発明の鋼矢板の継ぎ手構造の他の実施形態を示し、鋼矢板を連結した状態を示す平面図である。
【図４】本発明の鋼矢板の継ぎ手構造の他の実施形態を示し、鋼矢板の係合部の拡大平面図である。
【図５】本発明の鋼矢板の継ぎ手構造の他の実施形態を示し、鋼矢板の係合部の拡大平面図である。
【符号の説明】
１、１′…鋼矢板
２…メス側継ぎ手、２ａ…抱止部、２ｂ…挿入用スリット
３…オス側継ぎ手、３ａ…係止部、３ｂ…突条部、３ｃ…先端部
５…砂止め用弾性体
６…止水用弾性体
【図１】
2004150066.tif 000003
【図２】
2004150066.tif 000004
【図３】
2004150066.tif 000005
【図４】
2004150066.tif 000006
【図５】
2004150066.tif 000007